(57)【要約】【課題】設置作業がより容易な排水栓機構の提供。【解決手段】一端から他端に向かって順に第１の雄ねじ２２、貫通孔２３、第２の雄ねじ２４、横穴２５が設けられているテール管２と、洗面台の内側から排水口に嵌め込み可能に形成されていて通孔４１１を有すると共に第１の雄ねじ２２と螺合できる雌ねじ４２が設けられている環状部材４と、テール管２に環装されると共に洗面台に外側から当接できるように構成されたパッキン手段５と、第２の雄ねじ２４と螺合し該螺合により排水口の周囲部分を環状部材４とパッキン手段５との間に緊密に挟まれるようにすることができるナット６と、環状部材４の通孔４１１に入れられると通孔４１１を閉塞したり開放したりできるように構成された栓部材７１と、一端が栓部材７１に枢着され他端が横穴２５から突き出る操作レバー７２とを有する栓ユニット７、とを備えることを特徴とする排水栓機構。【選択図】図２
0003201847.tif 000002
【実用新案登録請求の範囲】
【請求項１】
洗面台の排水口に設置することができる排水栓機構であって、
前記排水口に挿入することができるように管状体として形成されていて、一端から他端に向かって順に第１の雄ねじと、それぞれ該管状体を内外に貫通している複数の貫通孔と、第２の雄ねじと、該管状体を内外に貫通している横穴とが設けられているテール管と、
前記洗面台の内側から前記排水口に嵌め込み可能に環状に形成されていて且つ中央に通孔を有する本体部を有し、前記本体部に前記テール管の前記第１の雄ねじと螺合できる雌ねじが設けられている環状部材と、
前記テール管に環装されると共に前記洗面台の外側から前記洗面台の排水口の周囲部分に当接できるように構成されたパッキン手段と、
前記テール管の前記第２の雄ねじと螺合し、該螺合により前記洗面台の排水口の周囲部分を、前記洗面台の内側から前記排水口に嵌め込まれた前記環状部材と前記洗面台の外側から前記洗面台の排水口の周囲部分に当接している前記パッキン手段との間に緊密に挟まれるようにすることができる構造になっているナットと、
前記洗面台の内側から前記排水口に嵌め込まれた前記環状部材の前記通孔に入れられると、上下移動することにより一端部が前記通孔を閉塞したり開放したりし、他端部が前記テール管に挿入することができるように構成された栓部材と、一端が前記栓部材の前記他端部に枢着され、他端が前記テール管の前記横穴から突き出る上、該他端への操作により前記栓部材を上下移動させることができる構造になっている操作レバーとを有する栓ユニット、とを備えることを特徴とする排水栓機構。
【請求項２】
前記第１の雄ねじは前記第２の雄ねじよりも短い、
請求項１に記載の排水栓機構。
【請求項３】
前記テール管は、前記一端側にあって前記第１の雄ねじ、各前記貫通孔、前記第２の雄ねじがそれぞれ設けられている大径部と、前記他端側にあり外径が前記大径部より短い小径部とを有する、
請求項１または請求項２に記載の排水栓機構。
【請求項４】
前記パッキン手段は、前記テール管に環装されると共に前記洗面台の外側から前記洗面台の排水口の周囲部分に水密的に当接できるように形成されたシール座金と、前記テール管に環装されると共に前記シール座金に水密的に当接できるように形成されたパッキンシートとを有する、
請求項１〜請求項３のいずれか一項に記載の排水栓機構。
【請求項５】
前記テール管は、ステンレス管材により全体が一体に形成されているものであり、前記環状部材は、ステンレスから構成されたものである、
請求項１〜請求項３のいずれか一項に記載の排水栓機構。
【請求項６】
前記テール管は、所定の中心軸線に沿って延伸するように形成されていて、各前記貫通孔は、該所定の中心軸線を囲うように互いに間隔を置いて設けられている、
請求項１〜請求項３のいずれか一項に記載の排水栓機構。
【請求項７】
前記テール管の前記横穴に繋がる挿入穴を有する延伸部材を更に備え、
前記栓ユニットは、前記操作レバーに挿通されると共に前記挿入穴内に設けられる球状のシーリングボールと、前記シーリングボールを前記挿入穴内に封じ込めるように前記延伸部材に取り外し可能に連結される封止部材とを更に有する、
請求項１〜請求項３のいずれか一項に記載の排水栓機構。
【請求項８】
前記延伸部材は前記テール管に溶接されている、
請求項７に記載の排水栓機構。
【考案の詳細な説明】
【技術分野】
【０００１】
本考案は排水栓機構に関し、特には洗面台に用いるのに適した排水栓機構に関する。
【背景技術】
【０００２】
洗面台に用いる従来の排水栓機構が特許文献１に示されている。この排水栓機構は、洗面台の排水口から外部に延伸するように洗面台に設置されたテール管と、多数の通水孔を有し、洗面台の排水口の周縁に嵌められている蓋板と、蓋板を覆うように排水口に嵌められて排水口を塞ぐ栓とを具えている。この栓を排水口に着脱することによって排水口の開閉が行われる。しかし、この機構では、開閉操作が手間であるだけでなく、洗面台に水を溜めて使用した後に栓を取る際に使用済みの水に手を入れなくてはならないという衛生面での不都合もある。また栓に鎖をつけて、鎖を引っ張ることで栓を取ることができるようにしたものもあるが、使用しない際の栓の置き所に困るという不便がやはりある。
【０００３】
そこで、蛇口の付近に操作用の取っ手を設けて、取っ手を動かすと、排水口に可動に据え付けられた栓が連動して上下移動することで排水口の開閉を行なうことができるようにしたポップアップ式の排水栓機構も用いられている。
【０００４】
図４はこのようなポップアップ式の排水栓機構の例であり、図示されているように、排水栓機構１は、ヘッド管１１と、パッキン手段１２と、ナット１３と、外周面にねじが切られている螺接部材１４と、テール管１５と、栓ユニット１６とを具える。ヘッド管１１は、ラッパ状部１１１と、ラッパ状部１１１の窄んだ側から延伸するように形成され内側に雌ねじが切られている延伸部１１２とからなり、延伸部１１２には排水のための複数の貫通孔１１３が開けられている。テール管１５は、内周面に雌ねじが切られた雌ねじ部１５１を上端側に有する共に、上下両端の間に側孔１５２が開けられている。栓ユニット１６は、栓本体１６１と操作レバー１６２とからなる。
【０００５】
上記の排水栓機構１を洗面台に組み込む際の手順は以下の通りとなる。まず、ヘッド管１１を延伸部１１２から洗面台の排水口に洗面台の内側から嵌め込んで固定する。その後、洗面台の外側から螺接部材１４をヘッド管１１の延伸部１１２に嵌め入れて螺結させる。次に、パッキン手段１２を螺接部材１４に嵌め合わせてから、ナット１３を螺接部材１４に螺合させ、ヘッド管１１のラッパ状部１１１とパッキン手段１２とに洗面台がきつく挟み込まれるまでナット１３を螺接部材１４に回し入れる。それから、テール管１５の雌ねじ部１５１を螺接部材１４と螺合させる。最後に、栓本体１６１を洗面台の内側からヘッド管１１に挿入し、操作レバー１６２をテール管１５の側孔１５２から入れてその先端を栓本体１６１に枢着させる。
【０００６】
このように排水栓機構１が組み込まれた後に、テール管１５の側孔１５２から露出する操作レバー１６２の他端を、蛇口付近に設けられた取っ手と連動するように接続することで、操作レバーを動かすと栓本体１６１が連動して上下し排水口の開閉を行なうことができる構成が完成する。
【先行技術文献】
【特許文献】
【０００７】
【特許文献１】台湾登録実用新案第Ｍ３１４２１７号公報
【考案の概要】
【考案が解決しようとする課題】
【０００８】
しかしながら、上記従来のポップアップ式排水栓機構では、洗面台へ設置する際に、ヘッド管１１と螺接部材１４との螺接および螺接部材１４とテール管１５との螺接との２箇所の螺接を経てテール管１５が洗面台に固定されるので、設置作業中に、設置後にテール管１５の側孔１５２がどの方向に向くかが不確かであり、操作レバーと接続するのに都合の良い所望の向きから外れてしまうことがままある。この場合、設置後に再びナット１３を緩めて側孔１５２が所望の向きに向かうようにテール管１５の位置を調節してからナット１３を締め直す作業が必要となり、余計な手間がかかる。
【０００９】
そこで、本考案は、設置作業の利便性が向上するように構成された排水栓機構の提供をその目的とする。
【課題を解決するための手段】
【００１０】
上記目的を達成するための手段として、本考案は、以下の手段を提供する。
【００１１】
即ち、洗面台の排水口に設置することができる排水栓機構であって、
前記排水口に挿入することができるように管状体として形成されていて、一端から他端に向かって順に第１の雄ねじと、それぞれ該管状体を内外に貫通している複数の貫通孔と、第２の雄ねじと、該管状体を内外に貫通している横穴とが設けられているテール管と、
前記洗面台の内側から前記排水口に嵌め込み可能に環状に形成されていて且つ中央に通孔を有する本体部を有し、前記本体部に前記テール管の前記第１の雄ねじと螺合できる雌ねじが設けられている環状部材と、
前記テール管に環装されると共に前記洗面台の外側から前記洗面台の排水口の周囲部分に当接できるように構成されたパッキン手段と、
前記テール管の前記第２の雄ねじと螺合し、該螺合により前記洗面台の排水口の周囲部分を、前記洗面台の内側から前記排水口に嵌め込まれた前記環状部材と前記洗面台の外側から前記洗面台の排水口の周囲部分に当接している前記パッキン手段との間に緊密に挟まれるようにすることができる構造になっているナットと、
前記洗面台の内側から前記排水口に嵌め込まれた前記環状部材の前記通孔に入れられると、上下移動することにより一端部が前記通孔を閉塞したり開放したりし、他端部が前記テール管に挿入することができるように構成された栓部材と、一端が前記栓部材の前記他端部に枢着され、他端が前記テール管の前記横穴から突き出る上、該他端への操作により前記栓部材を上下移動させることができる構造になっている操作レバーとを有する栓ユニット、とを備えることを特徴とする排水栓機構を提供する。
【考案の効果】
【００１２】
上記手段によれば、本考案に係る排水栓機構を洗面台の排水口に設置する際に、排水口に嵌め込まれた環状部材の雌ねじにテール管の第１の雄ねじを螺結させてから、テール管の横穴の向きを調整した後でナットにより環状部材、テール管、パッキン手段とを洗面台に固定することができるので、設置作業の利便性が向上する。
【図面の簡単な説明】
【００１３】
【図１】本考案に係る排水栓機構の一実施形態を示す組立斜視図である。
【図２】本考案に係る排水栓機構の一実施形態を示す分解斜視図である。
【図３】本考案に係る排水栓機構の一実施形態の使用態様を示す断面図である。
【図４】従来の排水栓機構の一例を示す分解斜視図である。
【考案を実施するための形態】
【００１４】
以下、添付図面を参照しながら、本考案に係る排水栓機構の具体的な実施形態、及び排水栓機構を洗面台に設置する際の態様を説明する。
【００１５】
図１〜図３は本実施形態での排水栓機構（以下単に排水栓機構）を示しており、図１は組立斜視図、図３は分解斜視図、図３は断面図である。なお、排水栓機構は、水を溜めるスペースを内側に有する洗面台９の排水口（通常は該スペースの底部に設けられていて洗面台９を内外に貫通する穴）に設置できるものである。
【００１６】
図示されているように、排水栓機構は、テール管２と、延伸部材３と、環状部材４と、パッキン手段５と、ナット６と、栓ユニット７とを備える。以下、それぞれ詳説する。
【００１７】
（テール管２）
テール管２は、図２に示されているように、洗面台９の排水口に挿入することができるように所定の中心軸線Ｌに沿って延伸する管状体２１として形成されていて、一端（図示上端）から他端（図示下端）に向かって順に、第１の雄ねじ２２と、それぞれ管状体２１を内外に貫通している複数の貫通孔２３と、第２の雄ねじ２４と、管状体２１を内外に貫通している横穴２５とが設けられている。
【００１８】
テール管２は、上記一端側にある大径部２１１と、外径が大径部２１１より短くなるように大径部２１１から延伸していて、上記他端側にある小径部２１２とを有する。第１の雄ねじ２２、貫通孔２３、第２の雄ねじ２４はそれぞれ大径部２１１に設けられている一方、横穴２５は小径部２１２に設けられている。なお、テール管２は全体がステンレス管材により一体に形成されたものであり、成形方法としては、プレス加工、旋盤加工などが用いられ得る。
【００１９】
各貫通孔２３は、管状体２１の中心軸である上記中心軸線Ｌを囲うように互いに間隔を置いて設けられている。
【００２０】
また、図２に示されているように、上記中心軸線Ｌに沿う方向における長さにおいて、第１の雄ねじ２２の長さ（図２にて符号Ｉで示された長さ）は、第２の雄ねじ２４の長さ（図２にて符号ＩＩで示された長さ）よりも短い。第１の雄ねじ２２と第２の雄ねじ２４とは、それぞれリードが同じであってもよく異なっていてもよい。なお、リードとは、ねじを１回転させた時の軸方向の移動量を指す。
【００２１】
（延伸部材３）
延伸部材３は、テール管２の横穴２５が設けられている部位に接続されていると共にテール管２の横穴２５に繋がる挿入穴３１を有する。本実施形態において、延伸部材３は溶接によりテール管２に接続されている。
【００２２】
（環状部材４）
環状部材４は、洗面台９の内側から洗面台９の排水口に嵌め込み可能となるように環状に形成されていて且つ中央に通孔４１１を有する本体部４１を有する。本体部４１には、テール管２の第１の雄ねじ２２と螺合できる雌ねじ４２が設けられている。
【００２３】
また、環状部材４は、本実施形態においてテール管２と同じくステンレスからなるものであり、ステンレス管材をプレス成形して構成されたものである。
【００２４】
（パッキン手段５）
パッキン手段５は、テール管２が洗面台９の排水口に挿入された状態において洗面台９の外側に排水口から水が漏れないようにするためのものであり、本実施形態においては、シール座金５１とパッキンシート５２とから構成されている。
【００２５】
シール座金５１は、テール管２に環装されると共に洗面台９の外側から洗面台９の排水口の周囲部分に水密的に当接できるように形成されている。具体的には、シール座金５１は中央にテール管２を通すための孔を有するせっ頭円錐状に形成されていて、該円錐の窄まった側で洗面台９に当接する。
【００２６】
パッキンシート５２は、テール管２に環装されると共にシール座金５１に水密的に当接できるように形成されている。具体的には、パッキンシート５２は軟性材料（例えばゴム）からなっている。
【００２７】
（ナット６）
ナット６は、テール管２の第２の雄ねじ２４と螺合できるように形成されている。そして、ナット６はその螺合によって、図３に示されるように、洗面台９の排水口の周囲部分を、洗面台９の内側から排水口に嵌め込まれた環状部材４と洗面台９の外側から洗面台９の排水口の周囲部分に当接しているパッキン手段５との間に緊密に挟まれるようにすることができる構造となっている。本実施形態においては、レンチ（図示せず）で回せるようにナット６として六角ナットが用いられている。
なお、テール管２の、各貫通孔２３が設けられている部分（第１の雄ねじ２２と第２の雄ねじ２４の間に位置する部分）の外径は、第１の雄ねじ２２および第２の雄ねじ２４の外径よりもやや短くなっている。これは、ナット６が第１の雄ねじ２２を経由して第２の雄ねじ２４に螺合される際に上述の部分で支（つか）えないようにするためである。
（栓ユニット７）
栓ユニット７は、栓部材７１と、操作レバー７２と、シーリングボール７３と、封止部材７４とを有する。
【００２８】
栓部材７１は、洗面台９の内側から排水口に嵌め込まれた環状部材４の通孔４１１からテール管２に挿入されるものであり、上下移動することにより上端側の一端部７１１が栓となって通孔４１１を閉塞したり開放したりし、下端側の他端部７１３がテール管２に挿入することができるように構成されている。また、栓部材７１の一端部７１１と他端部７１３の間に位置する中段部７１２には３枚のフィン７１４が互いに間隔を置いて設けられている。一端部７１１は通孔４１１を閉塞できるように通孔４１１に対応した形状を有する。また、一端部７１１を囲うようにＯリングを設けてもよい。
【００２９】
操作レバー７２は、一端側から延伸部材３の挿入穴３１を通してテール管２の横穴２５に挿入されることができるように構成されている。挿入された状態において、操作レバー７２は、一端が栓部材７１の他端部７１３に枢着され、他端が横穴２５および挿入穴３１から外に突き出ているように設置される。シーリングボール７３は、球状に形成されていて、操作レバー７２に挿通されるように延伸部材３の挿入穴３１内に設けられる。封止部材７４は、シーリングボール７３を挿入穴３１内に封入するように延伸部材３に取り外し可能に連結される。
【００３０】
栓ユニット７を上述のように設置することで、操作レバー７２の上記他端を操作することにより、操作レバー７２を揺動させて栓部材７１を上下移動させることができるようになる。なお、シーリングボール７３は挿入穴３１をシーリングする役目と操作レバー７２を揺動可能に固定する役目とを兼ね備えるもので、その材料としては軟質材料（例えばゴム）を用いることができる。
【００３１】
以下、本実施形態での排水栓機構を洗面台９の排水口に設置する際の態様を説明する。
【００３２】
まず、ナット６をテール管２の第１の雄ねじ２２を通して第２の雄ねじ２４と螺結させてから、パッキン手段５を第１の雄ねじ２２側からテール管２に環装する。そして、環状部材４を洗面台９の内側から排水口に嵌め入れて固定してから、テール管２を洗面台９の外側から排水口にねじ入れてテール管２の第１の雄ねじ２２を環状部材４の雌ねじ４２に螺結させることにより、テール管２を固定すると同時に、横穴２５が所望の向きに来るように第１の雄ねじ２２と雌ねじ４２の螺結具合を調整する。次に、ナット６を第２の雄ねじ２４との螺結が浅くなる方向に回してナット６がパッキン手段５を押し上げるようにすることで、押し上げられたパッキン手段５と、環状部材４との間に、洗面台９の排水口の周囲部分が緊密に挟み込まれるようにする。最後に、栓ユニット７の栓部材７１を環状部材４の通孔４１１からテール管２に挿入すると共に、操作レバー７２をテール管２の横穴２５から挿入して栓部材７１に枢着させる。これにより排水栓機構の洗面台９への設置が完了する。
【００３３】
上述のように、本考案に係る排水栓機構によれば、設置の過程で、テール管２の横穴２５の向きを調整することができる。なお、使用に際して、環状部材４と洗面台９の排水口の周囲部分との間、および、環状部材４の雌ねじ４２とテール管２の第１の雄ねじ２２との間から洗面台９の水が漏れ入ることも有り得るが、上述のように第１の雄ねじ２２より下方に各貫通孔２３が設けられているので、漏れ入った水はこれら貫通孔２３からテール管２内に入り排出される。
【００３４】
図３は本考案に係る排水栓機構の使用態様の一例を示す断面図である。図示されているように、本考案に係る排水栓機構が洗面台９に設置された状態において、例えば操作レバー７２と連結された連結部材９１を使用者が操作すると、操作レバー７２がシーリングボール７３を支点として揺動する。これにより、栓部材７１の一端部７１１を上下移動させて一端部７１１を洗面台９の排水口にある通孔４１１を閉塞する位置（図３において実線で示されている位置）に配置したり、開放する位置（図３において破線で示されている位置）に配置したりさせることができる。
【００３５】
以上のように、本考案に係る排水栓機構によれば、以下の効果が得られる。
【００３６】
１．テール管２を環状部材４に螺結させてからテール管２の横穴２５の向きを調整した後でナット６により固定することができるので、設置作業の利便性が向上する。
【００３７】
２．第１の雄ねじの長さは第２の雄ねじ２４の長さよりも短く、これに合わせて環状部材４の雌ねじ４２も短く形成することができる。よって、テール管２を環状部材４に螺結させて固定するためにテール管２を回す回数が少なくて済む。
【００３８】
３．テール管２および環状部材４は、ステンレス材によりプレス加工や旋盤加工を用いて加工形成されたものなので、製造の際に、例えば鋳造により形成された管材と比べて表面加工の手間が省ける。
【００３９】
４．従来の排水栓機構では、上述の様に、螺接部材１４とテール管１５とを別々に設けており、螺結に余計な手間がかかったのに比べ、本考案に係る排水栓機構では第１の雄ねじ２２と第２の雄ねじ２４を含めてテール管２が全体を一体に形成したものなので、螺結の手間が省けるだけでなく、排水栓機構全体での継ぎ目を減らせるので、水が漏れ難くなる。
【００４０】
以上、本考案の好ましい実施形態を説明したが、本考案はこれに限定されるものではなく、その要旨を逸脱しない範囲で種々変更可能である。
【産業上の利用可能性】
【００４１】
本考案に係る排水栓機構は、例えば住宅のトイレや風呂場に設置される洗面台のポップアップ式の排水栓機構として用いることができる。
【符号の説明】
【００４２】
２  テール管
２１  管状体
２１１  大径部
２１２  小径部
２２  第１の雄ねじ
２３  貫通孔
２４  第２の雄ねじ
２５  横穴
３  延伸部材
３１  挿入穴
４  環状部材
４１  本体部
４１１  通孔
４２  雌ねじ
５  パッキン手段
５１  シール座金
５２  パッキンシート
６  ナット
７  栓ユニット
７１  栓部材
７１１  一端部
７１２  中段部
７１３  他端部
７１４  フィン
７２  操作レバー
７３  シーリングボール
７４  封止部材
９  洗面台
９１  連結部材
【図１】
0003201847.tif 000003
【図２】
0003201847.tif 000004
【図３】
0003201847.tif 000005
【図４】
0003201847.tif 000006